(57)【特許請求の範囲】
【請求項１】
可撓性を有する第１のメッシュ袋内にフレキシブル鉄筋を挿入することによって、フレーム基体を形成しておき、さらに、可撓性を有する第２のメッシュ袋内に前記フレーム基体を挿入することによって予め形成しておいたフレームを、地山の斜面に対して設置することによって、当該斜面を安定化する工法であって、
前記地山の斜面に、所定ピッチで複数のピットを形成し、
形成された前記複数のピットのそれぞれにおいて、アンカーを固設し、
アンカーを固設した前記ピットにおいて、コンクリートを打設し、
前記斜面において、予め形成しておいた前記フレームを前記アンカーに沿って敷設し、
前記アンカーに対して、敷設した前記フレームを係合させ、
前記フレームの前記第１のメッシュ袋内に固化剤を充填し、
前記フレームの前記第２のメッシュ袋に固化剤を充填することを特徴とする斜面安定化工法。
【請求項２】
可撓性を有する第１のメッシュ袋内にフレキシブル鉄筋を挿入することによって、フレーム基体を形成しておき、次いで、可撓性を有する複数の第２のメッシュ袋を、スリットが形成されたジョイントパイプを介して連結しておき、さらに、連結した前記第２のメッシュ袋内に前記フレーム基体を挿入することによって予め形成しておいたフレームを、地山の斜面に対して設置することによって、当該斜面を安定化する工法であって、
前記地山の斜面に、フックを備えた複数のアンカーを、所定ピッチで固設し、
前記斜面において、予め形成しておいた前記フレームを前記アンカーに沿って敷設し、
前記フレームの前記第１のメッシュ袋内に固化剤を充填し、
前記フレームの前記第２のメッシュ袋に固化剤を充填し、
前記アンカーのフックに対して、敷設した前記フレームのフレーム基体を引っ掛けることによって、当該フレーム基体が、前記スリットを介して前記アンカーによって引っ張り状態で固定されるようにすることを特徴とする斜面安定化工法。
【請求項３】
前記フレーム基体は、その内側に、前記フレキシブル鉄筋に加えて、屈曲して成るスペーサを有していることを特徴とする請求項１又は２記載の斜面安定化工法。
【請求項４】
前記フレームを敷設する工程において、前記フレームを、列状，行状，およびマトリックス状の何れかの状態に敷設することを特徴とする請求項１又は２記載の斜面安定化工法。
【請求項５】
上記請求項１乃至４の何れかに記載の斜面安定化工法において用いられる装置であって、
フレキシブル鉄筋と、屈曲したスペーサと、当該フレキシブル鉄筋およびスペーサを内側に備える可撓性の第１のメッシュ袋と、を含むフレーム基体と；
可撓性を有する第２のメッシュ袋に前記フレーム基体を挿入して成るフレームと；を有していることを特徴とする斜面安定化装置。
【請求項６】
上記請求項１乃至４の何れかに記載の斜面安定化工法において用いられる装置であって、
端部に雄ネジが形成してあるフレキシブル鉄筋と、屈曲したスペーサと、当該フレキシブル鉄筋およびスペーサを内側に備える可撓性の第１のメッシュ袋と、を含む複数のフレーム基体と；
可撓性を有する第２のメッシュ袋に前記フレーム基体を挿入して成るフレームと；
内側に雌ネジが形成されており、前記フレーム内において前記複数のフレーム基体を連結する長ナットと；を有しており、
前記長ナットの一端は、挿入してある一のフレーム基体のフレキシブル鉄筋の端部に対して螺合させてあり、
前記長ナットの他端は、挿入された他のフレーム基体のフレキシブル鉄筋の端部に対して螺合させてあることを特徴とする斜面安定化装置。
【請求項７】
前記フレームの前記第１のメッシュ袋内には、固化剤が充填されており、
前記フレームの前記第２のメッシュ袋には、固化剤が充填されていることを特徴とする請求項５又は６記載の斜面安定化装置。
【発明の詳細な説明】
【０００１】
【産業上の利用分野】
開示技術は、道路の側部等に形成される斜面の安定化を図るフレームの施工の技術分野に属する。
【０００２】
【従来の技術】
周知の如く、現代社会は多くの情報に支えられており、したがって、情報処理のネットワークは全国的な規模でますますその拡充が図られてきている。
【０００３】
かかる情報処理のネットワークは、単に、電気通信網や電波等の手段によるもののみばかりでなく、鉄道，道路や該鉄道，道路に沿うケーブル等によって維持されている態様も極めて多いものである。
【０００４】
したがって、いずれにしても高速道路や鉄道等の建設工事は著しく重要であり、既存の周辺構築物との取り合いも無視できないもので、工事に伴う公害問題や環境との調和問題，安全保持等の点も極めて重要である。
【０００５】
而して、これらの開渠，横路等の施工、及び、施工後の使用状態において、安全性の観点において樹木の倒壊，崩壊，地下水漏出等を防止するためには、それらの側部（上下側）の斜面の安定化が不可欠である。そこで、これまでは、所謂フリーフレーム等の施工技術が広く用いられている。
【０００６】
而して、該斜面の安定化作業については、例えば、特開平５−１４０９４８号公報に開示の発明に見られる如く、施工現場において引張り材を埋設したり、地山に配筋工事を行い、アンカーをとって搬入した重機等により型枠を介しコンクリートを打設してフレーム（梁）を形成し、該フレーム間にセメントモルタルを吹き付ける等の工事が行われていた。
【０００７】
しかしながら、これらの工事における鉄筋や型枠等の搬入，建込み，組み付け，治具等の解体，撤去等は、すべて人手作業による人海作戦的なものが主である。しかも、作業が斜面を成す傾斜面で行われることから、作業効率が悪いという欠点がある。しかも、安全性を充分に保持できない難点があるだけでなく、工事期間（その前後を含む）において周辺環境の悪化を招くという不都合さもあった。
【０００８】
また、樹木にフリーフレームを曲折して設置する態様もあるが、却って該樹木を痛めて環境悪化を招く不都合さがある。
【０００９】
【発明が解決しようとする課題】
上述した従来技術の問題点に鑑み、この出願の発明の目的は上述従来技術に基づく開渠等構造物の設置部位の側部の斜面に対する安定化工事に伴う種々の問題点を解決すべき技術的課題とし、作業能率が良く、しかも、安全性が高く、周囲に対する作業環境悪化等の虞もなく、そのうえ、施工後の斜面の保護機能が充分に果せるようにして建設産業における土木技術利用分野に益する優れた斜面安定化工法、及び、該工法に直接使用する装置を提供せんとするものである。
【００１０】
【課題を解決するための手段】
（１）  上記目的を達成するために、本発明に係る工法は、可撓性を有する第１のメッシュ袋内にフレキシブル鉄筋を挿入することによって、フレーム基体を形成しておき、さらに、可撓性を有する第２のメッシュ袋内に前記フレーム基体を挿入することによって予め形成しておいたフレームを、地山の斜面に対して設置することによって、当該斜面を安定化する工法であって、
前記地山の斜面に、所定ピッチで複数のピットを形成し、
形成された前記複数のピットのそれぞれにおいて、アンカーを固設し、
アンカーを固設した前記ピットにおいて、コンクリートを打設し、
前記斜面において、予め形成しておいた前記フレームを前記アンカーに沿って敷設し、
前記アンカーに対して、敷設した前記フレームを係合させ、
前記フレームの前記第１のメッシュ袋内に固化剤を充填し、
前記フレームの前記第２のメッシュ袋に固化剤を充填するようにする。
【００１１】
（２）  また、上記目的を達成するために、本発明に係る工法は、
可撓性を有する第１のメッシュ袋内にフレキシブル鉄筋を挿入することによって、フレーム基体を形成しておき、次いで、可撓性を有する複数の第２のメッシュ袋を、スリットが形成されたジョイントパイプを介して連結し、さらに、連結した前記第２のメッシュ袋内に前記フレーム基体を挿入することによって予め形成しておいたフレームを、地山の斜面に対して設置することによって、当該斜面を安定化する工法であって、
前記地山の斜面に、フックを備えた複数のアンカーを、所定ピッチで固設し、
前記斜面において、予め形成しておいた前記フレームを前記アンカーに沿って敷設し、
前記フレームの前記第１のメッシュ袋内に固化剤を充填し、
前記フレームの前記第２のメッシュ袋に固化剤を充填し、
前記アンカーのフックに対して、敷設した前記フレームのフレーム基体を引っ掛けることによって、当該フレーム基体が、前記スリットを介して前記アンカーによって引っ張り状態で固定されるようにする。
【００１２】
（３）  上記（１）又は（２）記載の斜面安定化工法において、好ましくは、前記フレーム基体は、その内側に、前記フレキシブル鉄筋に加えて、屈曲して成るスペーサを有している。
【００１３】
（４）  上記（１）又は（２）記載の斜面安定化工法における前記フレームを敷設する工程において、好ましくは、前記フレームを、列状，行状，およびマトリックス状の何れかの状態に敷設する。
【００１４】
（５）  また、上記目的を達成するために、本発明の装置は、上記（１）乃至（４）の何れかに記載の斜面安定化工法において用いられる装置であって、
フレキシブル鉄筋と、屈曲したスペーサと、当該フレキシブル鉄筋およびスペーサを内側に備える可撓性の第１のメッシュ袋と、を含むフレーム基体と；
可撓性を有する第２のメッシュ袋に前記フレーム基体を挿入して成るフレームと；を有している。
【００１５】
（６）  また、上記目的を達成するために、本発明の装置は、上記（１）乃至（４）の何れかに記載の斜面安定化工法において用いられる装置であって、
端部に雄ネジが形成してあるフレキシブル鉄筋と、屈曲したスペーサと、当該フレキシブル鉄筋およびスペーサを内側に備える可撓性の第１のメッシュ袋と、を含む複数のフレーム基体と；
可撓性を有する第２のメッシュ袋に前記フレーム基体を挿入して成るフレームと；
内側に雌ネジが形成されており、前記フレーム内において前記複数のフレーム基体を連結する長ナットと；を有しており、
前記長ナットの一端は、挿入してある一のフレーム基体のフレキシブル鉄筋の端部に対して螺合させてあり、
前記長ナットの他端は、挿入された他のフレーム基体のフレキシブル鉄筋の端部に対して螺合させてある。
【００１６】
（７）  上記（５）又は（６）記載の斜面安定化装置において、好ましくは、
前記フレームの前記第１のメッシュ袋内には、固化剤が充填されており、
前記フレームの前記第２のメッシュ袋には、固化剤が充填されている。
【００１７】
【実施例】
次に、この出願の発明の実施例を図面を参照して説明すれば以下の通りである。
【００１８】
図示する実施例は、道路の側部の地山１の斜面２に対するその保護，維持のための安定化工事の態様に関する。図中、符号３は、この出願の発明の要旨の１つの中心を成す「斜面安定化装置」を示している。また、符号４は、所定メッシュの侵透性のビニールシート製等で形成された、閉断面の所定サイズの可撓性「メッシュ袋」を示している。
【００１９】
図１〜図５に示す原理態様において、例えば、メッシュ袋（第１のメッシュ袋）４には、予め工場で、周公知のテンション付与用のフレキシブル鉄筋５が少くとも１本挿通されるとともに、所定ピッチで該メッシュ袋４の内面に当接する「く」の字型のスペーサ６，６も適宜に挿通されるようになっている。
【００２０】
なお、スペーサ６は、フレキシブル鉄筋５のうちの１本をその長手方向において、所定ピッチで９０°ずつ縦横にジグザグ状に方向を変えて「く」の字型に曲折して成形されているものであっても良いものである。
【００２１】
而して、スペーサ６は次述する如く、固化材としてのセメントペースト１０をメッシュ袋４の長手方向端部から流入充填させる際に、当該メッシュ袋４の拡開姿勢を保持させるように機能するものである。
【００２２】
そして、メッシュ間隙からセメントペーストを滲出させて周囲との固化一体化を図るものである。
【００２３】
このようにして、セメントペースト１０をメッシュ袋４内に流入充填させると、該メッシュ袋４は一種の丸太棒状になり、フレームの基体を形成することになる。
【００２４】
而して、斜面安定化工事に際し、主アンカー８，８…、及び、補助アンカー８´，８´を、図７及び図８に示すように、地山１の斜面２に所定ピッチで行状（または列状、或いはマトリックス状）に配列して、所定深さ打込み貫入して固定させておく。
【００２５】
なお、各主アンカー８の基部には、図７及び図８に示す様に、断面円形のリングヘッド９（或いは、ピンジョイントでも可）が一体的に、或いは、ネジ螺合的に設けられている。
【００２６】
そして、「フレキシブル鉄筋５およびスペーサ６が挿入してあるメッシュ袋４」を内装するメッシュ袋（第２のメッシュ袋）７に、アンカー８，８´のリングヘッド９，９´に挿通係合させて行，列状のネットワークを形成する。さらに、これを基本として、図４に示すように、応用的には一種のマトリックス状フレーム１１のネットワークを、地山１の斜面２の表面に樹木を縫って形成敷設する。
なお、メッシュ袋４を内装する上記メッシュ袋７は、所定サイズの閉じ断面（断面円形，角形等）に形成され、メッシュ袋４の断面よりも大きな断面を有しており、ビニール製等の所定メッシュから形成されている。
【００２７】
そして、各メッシュ袋４の端部より、セメントペースト（固化材）１０を適宜に流入充填させる。次いで、図３に示すように、メッシュ袋７内に（該メッシュ袋７とメッシュ袋４との間にある断面リング状間隙部に）それらの端部、或いは、図示しない所定のプラグやニップルを介し図示しないコンクリートポンプにより、セメントペースト，セメントモルタル１０´を注入充填させる。これにより、メッシュ袋７は、丸太棒状のメッシュ袋４を内装して埋設した状態で（この場合、該メッシュ袋４から滲出するセメントペースト，セメントモルタルにより固化一体化する。）、断面円形状にされて図９に示すような梁状のフレーム１１を形成する。
【００２８】
この場合、フレキシブル鉄筋５が配設されたメッシュ袋４は、メッシュ袋７を各アンカー８，８´に挿通した後において、当該メッシュ袋７に挿通するようにしても良い。
【００２９】
而して、この際、フレーム１１は横（または縦）の行状（または列状）の一方方向の平行配列でも良い。或いは、図４に示すように、縦横方向に会合的に交叉してマトリックス状に配列しても良い。後者の場合、図５に示すように、交叉部分において一方のメッシュ袋７が他方のメッシュ袋７の上部、或いは、下側にてオーバーラップ的に交叉するようにする。
なお、充填するセメントモルタル，セメントペースト１０´等の固化材は、充填時において塑性的に変形するようになっているので、実質的には、交叉するメッシュ袋７，７が互いに干渉することはない。
また、地山１を適宜に凹状（図５の凹状部２´参照）に掘削して、下側を屈曲させるようにしている。そのため、ネットワーク状のマトリックス的フレーム１１の配列は、困難なく行われるようになっている。
さらに、メッシュ袋から滲出するセメントペースト，セメントモルタルにより一体化され、これらの配列姿勢は各アンカー８，８´のリングヘッド９，９´により充分に保形維持されるようになっている（但し、交叉部の固定状態は必ずしも充分に保証されるものではない）。
【００３０】
そして、各フレーム１１のセット施工が終了すれば、これらの各フレーム１１，１１間にショットクリート等の手段によりコンクリートミルクやセメントモルタルを吹き付けするようにして斜面安定化の施工を終了するようにする。
【００３１】
この間、メッシュ袋７に対して、フレキシブル鉄筋５を介装したメッシュ袋４を挿入する等の作業は、工場等で前作業として行うことが可能である。このように、工場等において前作業を行うことにより、施工現場における作業性は改善され、また、施工精度も充分なものとなる。また、従来のように施工現場において配筋や型枠搬入，建て付け等の作業を行う必要がないばかりか、資材の解体，撤去等の作業も省けることになる。加えて、周辺環境の悪化等を何ら招くことはない。
【００３２】
上述実施例は原理的基本実施例の態様であって、図４に示すように、フレーム１１がマトリックス状に配列されて、各々主アンカー８、補助アンカー８´により斜面２の地山１にセットされ、縦方向、及び、横方向の条列については図５に示す様に、クロス状態にしてセットされる態様を示してあるが、前述の施工にあっては当該図５に示すクロス部分が施工時は勿論こと、施工後にあっても相対摺動等によりその剛性が充分でない虞がある場合があるが、この出願の発明にあってはフレーム１１の配列を縦、或いは、横配列のみの条列として斜面２に対し安定した構築状態を現出することを図ることもこの出願の発明の精神に含むものであり、図９に示す様に、斜面２に対し、縦、或いは、横配列の相互に平行な条列（当該図９に示す態様においては縦方向配列）にし、相互の間隔を設計施工でＬの幅にとり、各フレーム１１については主アンカー８、及び、補助アンカー８´を所定間隔にとって斜面２の地盤に固定するようにする。
【００３３】
しかしながら、前述したように、斜面２は傾斜している。そのため、施工中（或いは施工後）において、フレーム１１の各メッシュ袋７に対して、内部に充填されているセメントペースト１０´やフレキシブル鉄筋５等の重力の分力により下方に対し滑り力が働くこともある。したがって、当該メッシュ袋７の斜面２に対する安定性が良くないような場合もある。
【００３４】
このような場合には、図１０に示すように、施工に先立って、主アンカー８を設ける斜面２の部分に、ピット１２を予め凹設形成する。次いで、当該斜面２の地盤内へ主アンカー８を貫入して、該主アンカー８の基部を緊締固結する。その後、「フレキシブル鉄筋５を挿入してあるメッシュ袋４」を内装するメッシュ袋７を、主アンカー８のリングヘッド９に挿通し、さらに、セメントペースト１０´を圧入充填する。
【００３５】
これにより、メッシュ袋７は、固形化されて主アンカー８のリングヘッド９の内周面に緊締され、さらに、ピット１２の打設コンクリート１２´により滲出コンクリートによって密着される。その結果、施工中、或いは、施工後において、メッシュ袋７が斜面２に沿って下降，変移することが防止されることとなる。
【００３６】
而して、斜面２に対するフレーム１１の施工時、或いは、施工後の斜面の安定性をより確実に保証するために、図１１，図１２に示す実施例のような施工態様が採用可能である。
【００３７】
すなわち、まず所定サイズの短円筒状のジョイントパイプ１３を用意する。当該ジョイントパイプ１３の下側にはスリット２１が形成されている。そして、このジョイントパイプ１３に対して、両端内周面にねじ１４が螺刻してある所定長さのカラー１５，１５を螺合させる。次いで、各カラー１５に対して、メッシュ袋７の端部を挿入連結し、さらに接着剤を用いて固定する。
【００３８】
また、地山１に打設したアンカー１６の上端部には、アンカーマス１８が、ねじ螺合１９により螺合連結してある。これにより、アンカー１６とアンカーマス１８とが一体化するようになっている。
【００３９】
一方、アンカーマス１８の表面には、フックピン２０が敷設固定してある。このフックピン２０にメッシュ袋４を挿通させて、当該メッシュ袋４ごとフレキシブル鉄筋５を、ジョイントパイプ１３のスリット２１から突き出たアンカーマス１８に引っ掛ける。その結果、フレキシブル鉄筋５がメッシュ袋４ごと、アンカーマス１８を介して、アンカー１６に対して引張り状態で固定されることとなる。
【００４０】
而して、メッシュ袋４、及び、フレキシブル鉄筋５のメッシュ袋７、カラー１５、ジョイントパイプ１３に対する係合、及び、コンクリート１２´の打設等の施工の順は適宜に行えば良い。
【００４１】
このようにして、フレキシブル鉄筋５がメッシュ袋４ごとアンカー１６に引張り状態で固定される。そのため、フレーム１１は斜面２の地山１に対し設計通りの施工姿勢を剛に保持し、滑り降下することはない。
【００４２】
また、この場合、図示していないが、「フレキシブル鉄筋５を収納したメッシュ袋４」をメッシュ袋７内の上方の定位置に配置することにより、斜面２が滑った場合であっても、フレキシブル鉄筋５が鉄筋コンクリート構造の法枠の引張側に確実に置かれることにより、斜面２の滑りに抵抗する力の大きな法枠を提供することができることになる。
【００４３】
フレキシブル鉄筋５を挿入したメッシュ袋４をメッシュ袋７内に設ける方法については、先述したように、施工現場へのメッシュ袋７のセット時において、予め作られたフレキシブル鉄筋５内装のメッシュ袋４を、当該メッシュ袋７の端部より挿入することによって行っても良い。
【００４４】
また、他の態様としては、まず、図１３〜図１６に示す実施例の様に、メッシュ袋７を条列状に主アンカー８及び補助アンカー８´に挿通した状態で、その長手方向に沿ってカッター等の適宜の治具を用いて所定長さのスリット２３を形成する。その際、当該スリット２３を幅方向に開閉自在であるようにしておく。そして、スリット２３を図１４に示すように部分的、或いは、全体的に開いて、フレキシブル鉄筋５を内装したメッシュ袋４を、手さぐり式に挿入して長手方向にセットするようにしても良い。
【００４５】
上述した他の態様の場合には、スクリュージョイントタイプのターンバックル状に形成され、内側に雌ネジ２４´が螺刻してある「長ナット２４」を用意する。そして、スリット２３を介してのメッシュ袋４の挿入に先立って、フレキシブル鉄筋５の端部に刻設した雄ネジに対して、上記長ナット２４を所定長さだけ螺合させておく（図１４参照）。
【００４６】
そして、フレキシブル鉄筋５内装のメッシュ袋４を、スライド挿入させることによってメッシュ袋７内にセットする。その際、フレキシブル鉄筋５の端部に螺装した長ナット２４を、スリット２３の端部から手さぐりにより、予め挿入されているメッシュ袋４のフレキシブル鉄筋５の尻手に対して臨ませる。続いて、図１５に示すように、長ナット２４の雌ネジ２４´に対して、フレキシブル鉄筋５の尻手の雄ネジ５´を螺合させる（この際、双方のフレキシブル鉄筋５，５が緊張状態になるように適宜引張り力を与えて螺合するようにする）。
【００４７】
なお、メッシュ袋４の先挿入分の端部はやや緩くして長ナット２４に外挿するようにする。
【００４８】
このようにすることにより、メッシュ袋７内において、メッシュ袋４を介装したフレキシブル鉄筋５，５…を、設定長の連結状態にセットすることができる。
【００４９】
そして、連結を終えた後のメッシュ袋７に対しては、図１６に示すように、スリット２３の両縁部分を合体させて、一体縁部２３´が形成されるようにする。そして、そこにホッチキス等のスティプラ２５，２５…を介して所定ピッチ、即ち、スリット２３が開かないように縫合する。
【００５０】
なお、かかるメッシュ袋７内へのメッシュ袋４に内装したフレキシブル鉄筋５，５…の設定長さ連結に際してはメッシュ袋２３の縫合でホッチキス等のスティプラに変えて瞬間接着剤を用い、或いは、スティプラと双方を用いること等可能である。
【００５１】
なお、図１５において、メッシュ袋７の開口部分はスリット２３ではなく、単に透視図的に図示の都合上、切開してある部分を示すものである。
【００５２】
なお、この出願の発明の実施態様は上述各実施例に限るものでないことは勿論であり、例えば、図６に示す様に、アンカー８，８´のリングヘッド９´´については方形断面を有するように形成してもよい。また、メッシュ袋７については、２本以上まとめて束ねるようにしてもよい。また、各メッシュ袋７内のセメントペースト１０´についても２体以上にしたり、また、内装するフレキシブル鉄筋等の鉄筋５もまた２本以上束ねるようにすることができる等は勿論のことである。
【００５３】
そして、設計変更的にはフレーム１１としてのメッシュ袋７のアンカー８，８´に対するセット後にラス網等をセットしてコンクリートの吹き付け打設等を行うようにすること等ができる。
【００５４】
そして、適用対象は上述態様以外にも道路の側部斜面以外の鉄道の側部斜面やその開渠，横路等の斜面に対しても適用できることも勿論のことである。
【００５５】
【発明の効果】
以上、この出願の発明によれば、基本的に、鉄道，道路等の側部の斜面を保護を図る安定化工事の施工に際し、何らフリーフレーム施工等のコンクリート打設に伴う現場での配筋工事や型枠セット等の手作業が要らないこととなる。したがって、施工能率が良く、安全性も高く、しかも、作業能率が良いことから、低コスト化が図ることができる。そのうえ、高精度の施工の再現性が高い設計通りの施工がなされ、斜面安定の信頼性が高められるという優れた効果が奏される。
【００５６】
また、上述した発明によれば、ビニール製等の閉じ断面の可撓性のメッシュ袋に対して、フレーム本体を成すビニール製等のメッシュ袋が予めフレキシブル鉄筋等の配筋を挿入した状態で内装されるようになっている。そのため、現場搬入に際し、予め工場製作等ができ、この点からも極めて作業がし易く、安全で高能率に工事ができるという効果もある。
【００５７】
しかも、メッシュ袋からのメッシュを介してのセメントペーストやセメントミルクの滲出が周囲を一体化されて固化される優れた効果が奏される。
【００５８】
而して、斜面安定化装置にあっては、メッシュ袋内に配筋を挿入されたメッシュ袋を内装することにより、また、該メッシュ袋内に配筋を介してのセメントペースト等の固化材の圧入充填を行うようにしておくことにより、該メッシュ袋内へのセメントペーストやセメントモルタル等の固化材の注入充填がし易いという効果があり、充分にフレームの保形性を維持し、また、取り扱いもし易いとう効果がある。
【００５９】
そして、斜面の地山に、例えば、マトリックス状に縦横方向にアンカーを貫入配列させ、それらのリングヘッドにメッシュ袋を挿入するという簡単な操作で縦横、或いは、一方方向フレーム形成のセットが確実に行われ、しかも、アンカーによりセット姿勢が確実に保護されることから、斜面安定フレームの施工状態が経時的にも充分に保証され、地山の崩壊や地下水漏出等が充分に阻止されるという効果がある。
【図面の簡単な説明】
【図１】１実施例の装置の部分切截斜視図である。
【図２】同斜面へのセット状態の取り合い部分切截側面図である。
【図３】固化材充填状態のフレームの斜面に対するセット姿勢断面図である。
【図４】斜面の地山に対するマトリックス状のフレームのセット姿勢平面図である。
【図５】フレームの交叉部分の斜視図である。
【図６】フレームのリングヘッドを介しての地山への取り付け，取り合い姿勢断面図である。
【図７】主アンカーの概略斜視図である。
【図８】補助アンカーの概略斜視図である。
【図９】別施工実施例の概略平面図である。
【図１０】同、概略縦断面図である。
【図１１】別の具体実施例の縦断面図である。
【図１２】同、部分横断面図である。
【図１３】メッシュ袋に対するスリット形成の部分拡大斜視図である。
【図１４】同、メッシュに対するフレキシブル鉄筋内装のスライド挿入プロセス概略斜視図である。
【図１５】メッシュ袋内フレキシブル鉄筋の長ナットを介しての連結状態斜視図である。
【図１６】フレキシブル鉄筋内装のメッシュ袋のメッシュ袋内連結後のメッシュ袋のスリット縫合斜視図である。
【符号の説明】
１            地山
２            斜面
２´          凹状部
３            斜面安定化装置
４            メッシュ袋（第１のメッシュ袋）
５            フレキシブル鉄筋
５´          雄ネジ
６            スペーサ
７            メッシュ袋（第２のメッシュ袋）
８，８´      アンカー
９，９´      リングヘッド
１０          セメントペースト（固化材）
１０´        セメントペースト（固化材）
１１          フレーム
１２          ピット
１３          ジョイントパイプ
１４          ねじ
１６          アンカー
１９          ねじ螺合
２０          フックピン
２１          スリット
２３          スリット
２４          長ナット
２４´        雌ネジ
２５          スティプラ
【図１】
0003558229.tif 000002
【図２】
0003558229.tif 000003
【図３】
0003558229.tif 000004
【図４】
0003558229.tif 000005
【図５】
0003558229.tif 000006
【図６】
0003558229.tif 000007
【図７】
0003558229.tif 000008
【図８】
0003558229.tif 000009
【図９】
0003558229.tif 000010
【図１０】
0003558229.tif 000011
【図１１】
0003558229.tif 000012
【図１２】
0003558229.tif 000013
【図１３】
0003558229.tif 000014
【図１４】
0003558229.tif 000015
【図１５】
0003558229.tif 000016
【図１６】
0003558229.tif 000017